(57)【要約】【課題】スピン性能に優れたラケットの提供。【解決手段】テニスラケットは、フレームと、このフレームに装着されかつ複数の筒部を有するグロメットと、フェースを形成するストリングとを有する。それぞれの筒部は、ストリングが通されるための貫通孔を有する。これらの筒部は、主としてフェースに平行な方向にストリングの移動を許容する平行移動用筒部１００ａと、主としてフェースに垂直な方向にストリングの移動を許容する垂直移動用筒部１００ｂとを含んでいる。それぞれの平行移動用筒部１００ａは、少なくとも１つの垂直移動用筒部１００ｂと隣接している。それぞれの垂直移動用筒部１００ｂは、少なくとも１つの平行移動用筒部１００ａと隣接している。【選択図】図４
2020151058.tif 000002
【特許請求の範囲】
【請求項１】
フレーム、このフレームに装着されかつ複数の筒部を有するグロメット、及びフェースを形成するストリングを備えており、
それぞれの筒部が、上記ストリングが通されるための貫通孔を有しており、
これらの筒部が、主として上記フェースに平行な方向に上記ストリングの移動を許容する平行移動用筒部と、主として上記フェースに垂直な方向に上記ストリングの移動を許容する垂直移動用筒部とを含んでいるラケット。
【請求項２】
それぞれの平行移動用筒部が、少なくとも１つの垂直移動用筒部と隣接する請求項１に記載のラケット。
【請求項３】
それぞれの垂直移動用筒部が、少なくとも１つの平行移動用筒部と隣接する請求項１又は２に記載のラケット。
【請求項４】
上記平行移動用筒部が、上記フェースに平行な方向における内寸が上記フェースに垂直な方向における内寸よりも大きい貫通孔を有する請求項１から３のいずれかに記載のラケット。
【請求項５】
上記平行移動用筒部の貫通孔の断面形状が楕円又は長円である請求項４に記載のラケット。
【請求項６】
上記平行移動用筒部の貫通孔における、フェースに平行な方向における内寸Ｌ１の、フェースに垂直な方向における内寸Ｌ２に対する比（Ｌ１／Ｌ２）が、１．３以上である請求項４又は５に記載のラケット。
【請求項７】
上記平行移動用筒部の貫通孔における、フェースに平行な方向における内寸Ｌ１の、ストリングの直径Ｄに対する比（Ｌ１／Ｄ）が、１．５以上である請求項４から６のいずれかに記載のラケット。
【請求項８】
上記平行移動用筒部の上記貫通孔が、ベース側開口、側壁及び先端側開口を有しており、
上記平行移動用筒部において、上記ベース側開口から上記先端側開口に至るまで、上記ストリングが、上記側壁に当接している請求項４から７のいずれかに記載のラケット。
【請求項９】
上記平行移動用筒部において、上記側壁が有する幅方向内側の壁面に上記ストリングが当接している請求項８に記載のラケット。
【請求項１０】
上記平行移動用筒部が、上記ベース側開口から上記先端側開口に至るまで合同な断面形状を有する貫通孔を有する請求項８又は９に記載のラケット。
【請求項１１】
上記平行移動用筒部に縦ストリングが通されており、上記垂直移動用筒部に他の縦ストリングが通されている請求項１から１０のいずれかに記載のラケット。
【請求項１２】
上記平行移動用筒部及び垂直移動用筒部が、上記フレームのトップの近傍に配置されている請求項１から１１のいずれかに記載のラケット。
【発明の詳細な説明】
【技術分野】
【０００１】
本発明は、テニス等に使用されるラケットに関する。
【背景技術】
【０００２】
テニスラケットは、フレームとストリングとを有している。古くは、フレームに形成された孔に直接にストリングが通されていた。近年のテニスラケットでは、グロメットを介して孔にストリングが通されている。グロメットの形状に関する提案が、特開平５−３４５０５２公報に開示されている。このグロメットは、テニスラケットの打球感に寄与しうる。
【先行技術文献】
【特許文献】
【０００３】
【特許文献１】特開平５−３４５０５２公報
【発明の概要】
【発明が解決しようとする課題】
【０００４】
テニスラケットの高性能化に伴い、近年のテニスでは、ドライブショットが多用されている。ドライブショットでは、テニスボールにオーバースピンが付与される。プレーヤーは、スピンがかかりやすいテニスラケットを望んでいる。
【０００５】
本発明の目的は、スピン性能に優れたラケットの提供にある。
【課題を解決するための手段】
【０００６】
本発明に係るラケットは、
（１）フレーム、
（２）このフレームに装着されかつ複数の筒部を有するグロメット、
及び
（３）フェースを形成するストリング
を有する。それぞれの筒部は、ストリングが通されるための貫通孔を有する。これらの筒部は、主としてフェースに平行な方向にストリングの移動を許容する平行移動用筒部と、主としてフェースに垂直な方向にストリングの移動を許容する垂直移動用筒部とを含む。
【０００７】
好ましくは、それぞれの平行移動用筒部は、少なくとも１つの垂直移動用筒部と隣接する。好ましくは、それぞれの垂直移動用筒部は、少なくとも１つの平行移動用筒部と隣接する。
【０００８】
好ましくは、平行移動用筒部は、フェースに平行な方向における内寸がフェースに垂直な方向における内寸よりも大きい貫通孔を有する。好ましくは、平行移動用筒部の貫通孔の断面形状は、楕円又は長円である。好ましくは、平行移動用筒部の貫通孔における、フェースに平行な方向における内寸Ｌ１の、フェースに垂直な方向における内寸Ｌ２に対する比（Ｌ１／Ｌ２）は、１．３以上である。好ましくは、平行移動用筒部の貫通孔における、フェースに平行な方向における内寸Ｌ１の、ストリングの直径Ｄに対する比（Ｌ１／Ｄ）は、１．５以上である。
【０００９】
平行移動用筒部の貫通孔は、ベース側開口、側壁及び先端側開口を有しうる。好ましくは、この平行移動用筒部において、ベース側開口から先端側開口に至るまで、ストリングが、側壁に当接する。好ましくは、平行移動用筒部において、側壁が有する幅方向内側の壁面に、ストリングが当接する。
【００１０】
好ましくは、平行移動用筒部は、ベース側開口から先端側開口に至るまで合同な断面形状を有する貫通孔を有する。
【００１１】
好ましくは、平行移動用筒部に縦ストリングが通されて、垂直移動用筒部に他の縦ストリングが通される。
【００１２】
好ましくは、平行移動用筒部及び垂直移動用筒部は、フレームのトップの近傍に配置される。
【発明の効果】
【００１３】
本発明に係るラケットでは、ボールとのインパクト時に、平行移動用筒部に通されたストリングが、フェースと平行な方向に大きく変形する。このストリングは、その後に復元する。この変形と復元とにより、ボールに高速のスピンがかかる。
【００１４】
本発明に係るラケットでは、ボールとのインパクト時に、垂直移動用筒部に通されたストリングが、フェースと垂直な方向に大きく変形する。一方、平行移動用筒部に通されたストリングの、フェースと垂直な方向への変形は、小さい。従って、平行移動用筒部に通されたストリングからボールに、大きな圧力がかかる。この圧力により、ボールに高速のスピンがかかる。
【００１５】
本発明に係るラケットは、スピン性能に優れる。
【図面の簡単な説明】
【００１６】
【図１】図１は、本発明の一実施形態に係るラケットが示された正面図である。
【図２】図２は、図１のラケットの一部が示された拡大図である。
【図３】図３は、図１のラケットの一部が示された分解図である。
【図４】図４は、図３のテニスラケットのグロメットの一部が示された拡大図である。
【図５】図５（ａ）は図４のグロメットの一部が示された正面図であり、図５（ｂ）は図５（ａ）のＢ−Ｂ線に沿った断面図であり、図５（ｃ）は図５（ａ）のＣ−Ｃ線に沿った断面図である。
【図６】図６（ａ）は図４のグロメットの一部が示された正面図であり、図６（ｂ）は図５（ａ）のＢ−Ｂ線に沿った断面図であり、図６（ｃ）は図５（ａ）のＣ−Ｃ線に沿った断面図である。
【図７】図７（ａ）は図５のグロメットがストリングと共に示された正面図であり、図７（ｂ）は図７（ａ）のＢ−Ｂ線に沿った断面図である。
【図８】図８（ａ）は図６のグロメットがストリングと共に示された正面図であり、図８（ｂ）は図８（ａ）のＢ−Ｂ線に沿った断面図である。
【図９】図９は、図１のラケットのトップ近傍が示された拡大図である。
【図１０】図１０は、図１のラケットがテニスボールと共に示された正面図である。
【図１１】図１１は、図９のトップ近傍が示された正面図である。
【図１２】図１２は、図１のラケットの第一筒部が示された断面図である。
【図１３】図１３は、図５の平行移動用筒部がストリングと共に示された底面図である。
【図１４】図１４は、図６の垂直移動用筒部がストリングと共に示された底面図である。
【図１５】図１５は、本発明の他の実施形態に係るテニスラケットの平行移動用筒部がストリングと共に示された底面図である。
【図１６】図１６は、本発明のさらに他の実施形態に係るテニスラケットの平行移動用筒部がストリングと共に示された底面図である。
【図１７】図１７（ａ）は本発明のさらに他の実施形態に係るテニスラケットの平行移動用筒部が示された正面図であり、図１７（ｂ）は図１７（ａ）のＢ−Ｂ線に沿った断面図であり、図１７（ｃ）は図１７（ａ）のＣ−Ｃ線に沿った断面図である。
【発明を実施するための形態】
【００１７】
以下、適宜図面が参照されつつ、好ましい実施形態に基づいて本発明が詳細に説明される。
【００１８】
（第一実施形態）
図１−３に、テニスラケット２が示されている。このテニスラケット２は、フレーム４、グリップ６、グロメット８及びストリング１０を有している。このテニスラケット２は、硬式テニスに使用されうる。図１及び２において、矢印Ｘはテニスラケット２の幅方向を表し、矢印Ｙはテニスラケット２の軸方向を表す。
【００１９】
フレーム４は、ヘッド１２、２つのスロート１４及びシャフト１６を有している。ヘッド１２は、フェース１７（後に詳説）の輪郭を形成している。ヘッド１２の正面形状は、略楕円である。楕円の長径方向は、テニスラケット２の軸方向Ｙと一致している。楕円の短径方向は、テニスラケット２の幅方向Ｘと一致している。それぞれのスロート１４の一端は、ヘッド１２と連続している。このスロート１４は、他端の近傍で他のスロート１４と合流している。スロート１４は、ヘッド１２から延びてシャフト１６に至っている。シャフト１６は、２つのスロート１４が合流する箇所から延びている。シャフト１６は、スロート１４と連続的にかつ一体的に形成されている。ヘッド１２のうち２つのスロート１４に挟まれた部分は、ヨーク１８である。
【００２０】
このフレーム４は、パイプからなる。換言すれば、このフレーム４は中空である。このパイプの材質は、繊維強化樹脂である。この繊維強化樹脂のマトリクス樹脂は、熱硬化樹脂である。典型的な熱硬化樹脂は、エポキシ樹脂である。繊維強化樹脂の典型的な繊維は、カーボン繊維である。この繊維は、長繊維である。
【００２１】
グリップ６は、シャフト１６に巻かれたテープによって形成されている。グリップ６は、テニスラケット２がスイングされたときの、プレーヤーの手とテニスラケット２とのスリップを抑制する。
【００２２】
図３に示されるように、このテニスラケット２は、第一グロメット８ａ、２つの第二グロメット８ｂ及び第三グロメット８ｃを有している。それぞれのグロメット８は、ベース２０と複数の筒部１００とを有している。それぞれの筒部１００は、ベース２０と一体的に形成されている。このグロメット８の典型的な材質は、フレーム４よりも軟質な合成樹脂である。
【００２３】
図３において矢印Ａ１で示されるように、第一グロメット８ａは、ヘッド１２のトップの近傍に装着される。この装着により、第一グロメット８ａのそれぞれの筒部１００が、ヘッド１２に設けられた孔（図示されず）を貫通する。図３において矢印Ａ２で示されるように、それぞれの第二グロメット８ｂは、ヘッド１２のサイドに装着される。この装着により、第二グロメット８ｂのそれぞれの筒部１００が、ヘッド１２に設けられた孔（図示されず）を貫通する。図３において矢印Ａ３で示されるように、第三グロメット８ｃは、ヨーク１８に装着される。この装着により、第三グロメット８ｃのそれぞれの筒部１００が、ヘッド１２に設けられた孔（図示されず）を貫通する。
【００２４】
ストリング１０は、ヘッド１２に張られる。ストリング１０は、幅方向Ｘ及び軸方向Ｙに沿って張られる。ストリング１０のうち幅方向Ｘに沿って延在する部分は、横ストリング１０ａと称される。ストリング１０のうち軸方向Ｙに沿って延在する部分は、縦ストリング１０ｂと称される。複数の横ストリング１０ａ及び複数の縦ストリング１０ｂにより、フェース１７（図１参照）が形成される。フェース１７は、概してＸ−Ｙ平面に沿っている。
【００２５】
図４は、図３のテニスラケット２のグロメット８の一部が示された拡大図である。前述の通り、グロメット８は、ベース２０と複数の筒部１００とを有している。これら筒部１００には、平行移動用筒部１００ａ及び垂直移動用筒部１００ｂが含まれる。これら筒部１００には、平行移動用筒部１００ａ及び垂直移動用筒部１００ｂ以外の筒部１００も含まれうる。
【００２６】
図５（ａ）は図４のグロメット８の一部が示された正面図であり、図５（ｂ）は図５（ａ）のＢ−Ｂ線に沿った断面図であり、図５（ｃ）は図５（ａ）のＣ−Ｃ線に沿った断面図である。図５には、平行移動用筒部１００ａが示されている。平行移動用筒部１００ａは、貫通孔２４ａを有している。貫通孔２４ａは、ベース側開口２６ａ、側壁２８ａ及び先端側開口３０ａを有している。貫通孔２４ａの断面形状は、長円である。貫通孔２４ａは、ベース側開口２６ａから先端側開口３０ａに至るまで、合同な断面形状を有する。この貫通孔２４ａでは、フェース１７に平行な方向（図５（ａ）の左右方向）における内寸は、フェース１７に垂直な方向（図５（ａ）の上下方向）における内寸よりも大きい。
【００２７】
図６（ａ）は図４のグロメット８の一部が示された正面図であり、図６（ｂ）は図６（ａ）のＢ−Ｂ線に沿った断面図であり、図６（ｃ）は図６（ａ）のＣ−Ｃ線に沿った断面図である。図６には、垂直移動用筒部１００ｂが示されている。垂直移動用筒部１００ｂは、貫通孔２４ｂを有している。貫通孔２４ｂは、ベース側開口２６ｂ、側壁２８ｂ及び先端側開口３０ｂを有している。この貫通孔２４ｂでは、フェース１７に平行な方向（図６（ａ）の左右方向）における内寸は、ベース側開口２６ｂから先端側開口３０ｂに至るまで、一定である。フェース１７に垂直な方向（図６（ａ）の上下方向）における内寸は、ベース側開口２６ｂから先端側開口３０ｂに向かい、徐々に大きくなる。ベース側開口２６ｂの形状は、概ね円である。先端側開口３０ｂの形状は、長円である。この先端側開口３０ｂでは、フェース１７に垂直な方向における内寸は、フェース１７に平行な方向における内寸よりも大きい。
【００２８】
図７（ａ）は図５のグロメット８がストリング１０と共に示された正面図であり、図７（ｂ）は図７（ａ）のＢ−Ｂ線に沿った断面図である。ストリング１０は、貫通孔２４ａを通されている。ストリング１０は、ベース側開口２６ａから先端側開口３０ａに至るまで、側壁２８ａに当接している。ストリング１０は、側壁２８ａの左側壁面に当接している。ベース側開口２６ａの左右方向内寸が、先端側開口３０ａの左右方向内寸と同じなので、ストリング１０が、ベース側開口２６ａから先端側開口３０ａに至るまで側壁２８ａに当接しうる。図７（ａ）から明らかなように、貫通孔２４の左右方向内寸は、ストリング１０の直径に比べて十分大きい。従ってストリング１０は、平行移動用筒部１００ａの中で、右方向に移動しうる。ストリング１０は、平行移動用筒部１００ａの中で、上下方向にはほとんど移動できない。換言すれば、平行移動用筒部１００ａは、主としてフェース１７に平行な方向に、ストリング１０の移動を許容する。
【００２９】
図８（ａ）は図６のグロメット８がストリング１０と共に示された正面図であり、図８（ｂ）は図８（ａ）のＢ−Ｂ線に沿った断面図である。ストリング１０は、貫通孔２４ｂを通されている。ストリング１０は、貫通孔２４ｂの軸とほぼ一致して、延在している。図８（ａ）から明らかなように、先端側開口３０ｂの上下方向内寸は、ストリング１０の直径に比べて十分大きい。従ってストリング１０は、垂直移動用筒部１００ｂの中で、上下方向に移動しうる。ストリング１０は、垂直移動用筒部１００ｂの中で、左右方向にはほとんど移動できない。換言すれば、垂直移動用筒部１００ｂは、主としてフェース１７に垂直な方向に、ストリング１０の移動を許容する。
【００３０】
図２において符号ＣＬで示されているのは、中心線である。テニスラケット２は、中心線ＣＬに対して対称な形状を有する。図２に示されるように、テニスラケット２は、第一筒部１０１、第二筒部１０２、第三筒部１０３、第四筒部１０４、第五筒部１０５、第六筒部１０６、第七筒部１０７、第八筒部１０８、第九筒部１０９、第十筒部１１０、第十一筒部１１１、第十二筒部１１２、第十三筒部１１３、第十四筒部１１４、第十五筒部１１５、第十六筒部１１６、第十七筒部１１７、第十八筒部１１８、第十九筒部１１９、第二十筒部１２０、第二十一筒部１２１、第二十二筒部１２２、第二十三筒部１２３、第二十四筒部１２４、第二十五筒部１２５、第二十六筒部１２６、第二十七筒部１２７、第二十八筒部１２８、第二十九筒部１２９、第三十筒部１３０、第三十一筒部１３１、第三十二筒部１３２、第三十三筒部１３３、第三十四筒部１３４及び第三十五筒部１３５を有している。図２には、３５個の筒部１００が示されている。前述の通り、テニスラケット２が中心線ＣＬに対して対称な形状を有するので、このテニスラケット２における筒部１００の数は、７０である。
【００３１】
図２に示されるように、第一筒部１０１、第二筒部１０２、第三筒部１０３、第四筒部１０４、第五筒部１０５、第六筒部１０６、第七筒部１０７、第九筒部１０９、第二十七筒部１２７、第二十九筒部１２９、第三十筒部１３０、第三十一筒部１３１、第三十二筒部１３２、第三十三筒部１３３、第三十四筒部１３４及び第三十五筒部１３５には、縦ストリング１０ｂが通されている。第八筒部１０８、第十筒部１１０、第十一筒部１１１、第十二筒部１１２、第十三筒部１１３、第十四筒部１１４、第十五筒部１１５、第十六筒部１１６、第十七筒部１１７、第十八筒部１１８、第十九筒部１１９、第二十筒部１２０、第二十一筒部１２１、第二十二筒部１２２、第二十三筒部１２３、第二十四筒部１２４、第二十五筒部１２５、第二十六筒部１２６及び第二十八筒部１２８には、横ストリング１０ａが通されている。
【００３２】
図９は、図１のテニスラケット２のトップ近傍が示された拡大図である。図９では、フレーム４及び横ストリング１０ａの図示が省略されている。図９には、ベース２０、第一筒部１０１、第二筒部１０２、第三筒部１０３、第四筒部１０４及び第五筒部１０５が示されている。本実施形態では、第一筒部１０１、第三筒部１０３及び第五筒部１０５は、垂直移動用筒部１００ｂである。それぞれの垂直移動用筒部１００ｂでは、先端側開口３０ｂの形状は、縦長の長円である（図６参照）。第二筒部１０２及び第四筒部１０４は、平行移動用筒部１００ａである。それぞれの平行移動用筒部１００ａでは、先端側開口３０ａの形状は、横長の長円である（図５参照）。このテニスラケット２では、複数の平行移動用筒部１００ａと複数の垂直移動用筒部１００ｂとが、交互に配置されている。それぞれの平行移動用筒部１００ａは、少なくとも１つの垂直移動用筒部１００ｂと隣接している。それぞれの垂直移動用筒部１００ｂは、少なくとも１つの平行移動用筒部１００ａと隣接している。
【００３３】
図９に示されるように、第二筒部１０２において縦ストリング１０ｂは、貫通孔２４ａの側壁２８ａの、左側（幅方向内側）の壁面に当接している。第四筒部１０４において縦ストリング１０ｂは、貫通孔２４ａの側壁２８ａの、左側（幅方向内側）の壁面に当接している。
【００３４】
図１０には、テニスラケット２と共にテニスボール３２が示されている。図１０には、テニスラケット２とテニスボール３２とのインパクトの瞬間が、示されている。図１０では、テニスボール３２は、中心線ＣＬよりも下方（地面Ｇの側）にて、フェース１７と衝突している。この状態でプレーヤーは、テニスラケット２を、前方へ、そして上方へとスイングする。このスイングは、ドライブスイングである。
【００３５】
このスイングにより、第二筒部１０２を通された縦ストリング１０ｂに、幅方向外向きの力がかかる。第二筒部１０２の貫通孔２４ａの幅方向内寸は、十分に大きい。従って、この縦ストリング１０ｂは、第二筒部１０２に邪魔されることなく変形し、幅方向外向きに移動する。図１１には、移動後の縦ストリング１０ｂが示されている。この縦ストリング１０ｂは、その後に復元する。第四筒部１０４を通された縦ストリング１０ｂも、同様に、変形し復元する。これらの縦ストリング１０ｂの変形と復元とにより、テニスラケット２とテニスボール３２との大きな接触時間が達成される。このテニスボール３２は、大きなスピン速度を伴って、打ち出される。
【００３６】
図１２は、図１のラケットの第一筒部１０１が示された断面図である。図１２において矢印Ｚは、テニスラケット２の厚み方向を表す。前述の通り、第一筒部１０１では、先端側開口３０ｂの形状は、縦長の長円である。従って、テニスボール３２からの圧力を受けて、第一筒部１０１を通された縦ストリング１０ｂは、Ｚ方向へと変形する。この変形を、第一筒部１０１は阻害しない。従って縦ストリング１０ｂは、Ｚ方向に十分に変形しうる。図１２には、変形後の縦ストリング１０ｂが示されている。この後に縦ストリング１０ｂは、復元する。第三筒部１０３を通された縦ストリング１０ｂ及び第五筒部１０５を通された縦ストリング１０ｂも、同様に、Ｚ方向に十分に変形しうる。
【００３７】
平行移動用筒部１００ａ（第二筒部１０２又は第四筒部１０４）では、前述の通り、先端側開口３０ｂの形状は、横長の長円である。従ってこの平行移動用筒部１００ａは、縦ストリング１０ｂのＺ方向への移動を阻害する。平行移動用筒部１００ａを通された縦ストリング１０ｂは、Ｚ方向には、十分には変形しない。
【００３８】
テニスラケット２とテニスボール３２とのインパクトのとき、平行移動用筒部１００ａを通された縦ストリング１０ｂのＺ方向への変形量は小さく、垂直移動用筒部１００ｂを通された縦ストリング１０ｂのＺ方向への変形量は大きい。換言すれば、インパクトにより、垂直移動用筒部１００ｂを通された縦ストリング１０ｂのみが、大幅に後退する。平行移動用筒部１００ａを通された縦ストリング１０ｂは、大幅には後退しない。平行移動用筒部１００ａを通された縦ストリング１０ｂは、インパクト時に、テニスボール３２に十分にくい込む。このくい込みにより、テニスボール３２に大きな速度のスピンがかかる。
【００３９】
図９において矢印Ｗ２で示されているのは、トップの近傍ゾーンの幅である。このトップの近傍ゾーンに、平行移動用筒部１００ａ及び垂直移動用筒部１００ｂが配置されることが好ましい。この幅Ｗ２は、テニスラケット２の半幅Ｗ１（図１参照）の１５％以上６０％以下が好ましく、２０％以上５０％以下が特に好ましい。
【００４０】
設計者が意図する性能をテニスラケット２に付与する目的で、幅方向外側の壁面にストリング１０が当接するように、筒部１００が形成されてもよい。
【００４１】
このテニスラケット２は、トップ近傍に、平行移動用筒部１００ａ及び垂直移動用筒部１００ｂを有している。テニスラケット２が、ヨーク１８に、平行移動用筒部１００ａ及び垂直移動用筒部１００ｂを有してもよい。テニスラケット２が、サイドに、平行移動用筒部１００ａ及び垂直移動用筒部１００ｂを有してもよい。
【００４２】
このテニスラケット２では、前述の通り、第二筒部１０２及び第四筒部１０４が、平行移動用筒部１００ａである。このテニスラケット２は、中心線ＣＬに対して対称な形状を有するので、２個の第二筒部１０２及び２個の第四筒部１０４を有する。従って、平行移動用筒部１００ａの総数Ｎ１は、４個である。総数Ｎ１は、２個以上１６個以下が好ましく、４個以上１２個以下が好ましい。
【００４３】
このテニスラケット２では、前述の通り、第一筒部１０１、第三筒部１０３及び第五筒部１０５が、垂直移動用筒部１００ｂである。このテニスラケット２は、中心線ＣＬに対して対称な形状を有するので、２個の第一筒部１０１、２個の第三筒部１０３及び２個の第五筒部１０５を有する。従って、垂直移動用筒部１００ｂの総数Ｎ２は、６個である。総数Ｎ２は、２個以上１６個以下が好ましく、４個以上１２個以下が好ましい。
【００４４】
図１３は、図５の平行移動用筒部１００ａがストリング１０と共に示された底面図である。図１３には、平行移動用筒部１００ａの先端が示されている。図１３における紙面垂直方向は、平行移動用筒部１００ａの軸の方向である。平行移動用筒部１００ａは、先端側開口３０ａを有している。前述の通り、先端側開口３０ａの形状は、長円である。
【００４５】
図１３において矢印Ｌ１で示されているのは、先端側開口３０ａの、フェース１７に平行な方向における内寸である。内寸Ｌ１は、長円の長径でもある。図１３において矢印Ｌ２で示されているのは、先端側開口３０ａの、フェース１７に垂直な方向における内寸である。内寸Ｌ２は、長円の短径でもある。ストリング１０がフェース１７に平行な方向に容易に変形し、かつフェース１７に垂直な方向に変形しにくいとの観点から、比（Ｌ１／Ｌ２）は１．３以上が好ましく、１．５以上が特に好ましい。比（Ｌ１／Ｌ２）は、４．０以下が好ましい。
【００４６】
図１３において矢印Ｄで示されているのは、ストリング１０の直径である。ストリング１０がフェース１７に平行な方向に容易に変形するとの観点から、比（Ｌ１／Ｄ）は１．５以上が好ましく、１．８以上が特に好ましい。比（Ｌ１／Ｄ）は、４．５以下が好ましい。
【００４７】
図１４は、図６の垂直移動用筒部１００ｂがストリング１０と共に示された底面図である。図１４には、垂直移動用筒部１００ｂの先端が示されている。図１４における紙面垂直方向は、垂直移動用筒部１００ｂの軸の方向である。垂直移動用筒部１００ｂは、先端側開口３０ｂを有している。前述の通り、先端側開口３０ｂの形状は、長円である。
【００４８】
図１４において矢印Ｌ３で示されているのは、先端側開口３０ｂの、フェース１７に平行な方向における内寸である。内寸Ｌ３は、長円の短径でもある。図１４において矢印Ｌ４で示されているのは、先端側開口３０ｂの、フェース１７に垂直な方向における内寸である。内寸Ｌ４は、長円の長径でもある。ストリング１０がフェース１７に垂直な方向に容易に変形するとの観点から、比（Ｌ４／Ｌ３）は１．３以上が好ましく、１．５以上が特に好ましい。比（Ｌ４／Ｌ３）は、４．０以下が好ましい。
【００４９】
図１４において矢印Ｄで示されているのは、ストリング１０の直径である。ストリング１０がフェース１７に垂直な方向に容易に変形するとの観点から、比（Ｌ４／Ｄ）は１．５以上が好ましく、１．８以上が特に好ましい。比（Ｌ４／Ｄ）は、４．５以下が好ましい。
【００５０】
（第二実施形態）
図１５は、本発明の他の実施形態に係るテニスラケットの平行移動用筒部３４がストリング１０と共に示された底面図である。このテニスラケットの、平行移動用筒部３４以外の構造は、図１−１４に示されたテニスラケット２のそれと同じである。
【００５１】
平行移動用筒部３４は、貫通孔を有している。この貫通孔は、ベース側開口、側壁及び先端側開口３６を有している。貫通孔の断面形状は、ベース側開口から先端側開口３６に至るまで、一定である。図１５に示される通り、先端側開口３６の形状は、楕円である。図１５において矢印Ｌ１で示されているのは、先端側開口３６の、フェースに平行な方向における内寸である。内寸Ｌ１は、楕円の長径でもある。図１５において矢印Ｌ２で示されているのは、先端側開口３６の、フェースに垂直な方向における内寸である。内寸Ｌ２は、楕円の短径でもある。ストリング１０がフェースに平行な方向に容易に変形し、かつフェースに垂直な方向に変形しにくいとの観点から、比（Ｌ１／Ｌ２）は１．３以上が好ましく、１．５以上が特に好ましい。比（Ｌ１／Ｌ２）は、４．０以下が好ましい。
【００５２】
図１５において矢印Ｄで示されているのは、ストリング１０の直径である。ストリング１０がフェースに平行な方向に容易に変形するとの観点から、比（Ｌ１／Ｄ）は１．５以上が好ましく、１．８以上が特に好ましい。比（Ｌ１／Ｄ）は、４．５以下が好ましい。
【００５３】
（第三実施形態）
図１６は、本発明のさらに他の実施形態に係るテニスラケットの平行移動用筒部３８がストリング１０と共に示された底面図である。このテニスラケットの、平行移動用筒部３８以外の構造は、図１−１４に示されたテニスラケット２のそれと同じである。
【００５４】
平行移動用筒部３８は、貫通孔を有している。この貫通孔は、ベース側開口、側壁及び先端側開口４０を有している。貫通孔の断面形状は、ベース側開口から先端側開口４０に至るまで、一定である。図１６に示される通り、先端側開口４０の形状は、長円である。この長円の長軸は、フェースに平行な方向に対して傾斜している。図１６において矢印Ｌ１で示されているのは、先端側開口４０の、フェースに平行な方向における内寸である。図１６において矢印Ｌ２で示されているのは、先端側開口４０の、フェースに垂直な方向における内寸である。ストリング１０がフェースに平行な方向に容易に変形し、かつフェースに垂直な方向に変形しにくいとの観点から、比（Ｌ１／Ｌ２）は１．３以上が好ましく、１．５以上が特に好ましい。比（Ｌ１／Ｌ２）は、４．０以下が好ましい。
【００５５】
図１６において矢印Ｄで示されているのは、ストリング１０の直径である。ストリング１０がフェースに平行な方向に容易に変形するとの観点から、比（Ｌ１／Ｄ）は１．５以上が好ましく、１．８以上が特に好ましい。比（Ｌ１／Ｄ）は、４．５以下が好ましい。
【００５６】
（第四実施形態）
図１７（ａ）は本発明のさらに他の実施形態に係るテニスラケットの平行移動用筒部４２が示された正面図であり、図１７（ｂ）は図１７（ａ）のＢ−Ｂ線に沿った断面図であり、図１７（ｃ）は図１７（ａ）のＣ−Ｃ線に沿った断面図である。このテニスラケットの、平行移動用筒部４２以外の構造は、図１−１４に示されたテニスラケット２のそれと同じである。
【００５７】
平行移動用筒部４２は、貫通孔４４を有している。貫通孔４４は、ベース側開口４６、側壁４８及び先端側開口５０を有している。ベース側開口４６の形状は、円である。先端側開口５０の形状は、長円である。貫通孔４４の、フェースに平行な方向における内寸は、ベース側開口４６から先端側開口５０に向かって徐々に広がっている。このテニスラケットでは、平行移動用筒部４２に通された縦ストリングが、フェースに平行な方向に容易に変形しうる。
【００５８】
（さらに他の実施形態）
平行移動用筒部には、主としてフェースに平行な方向にストリングの移動を許容する、種々の形状の貫通孔が採用されうる。それぞれの貫通孔において、先端側開口の、フェースに平行な方向における内寸Ｌ１とフェースに垂直な方向における内寸Ｌ２との比（Ｌ１／Ｌ２）は、１．３以上が好ましく、１．５以上が特に好ましい。比（Ｌ１／Ｌ２）は、４．０以下が好ましい。
【００５９】
垂直移動用筒部には、主としてフェースに垂直な方向にストリングの移動を許容する、種々の形状の貫通孔が採用されうる。それぞれの貫通孔において、先端側開口の、フェースに垂直な方向における内寸Ｌ４とフェースに平行な方向における内寸Ｌ３との比（Ｌ４／Ｌ３）は、１．３以上が好ましく、１．５以上が特に好ましい。比（Ｌ４／Ｌ３）は、４．０以下が好ましい。
【産業上の利用可能性】
【００６０】
本発明に係るラケットは、ソフトテニス、スカッシュ、バドミントン等の種々の競技において用いられうる。
【符号の説明】
【００６１】
２・・・テニスラケット
４・・・フレーム
６・・・グリップ
８・・・グロメット
８ａ・・・第一グロメット
８ｂ・・・第二グロメット
８ｃ・・・第三グロメット
１０・・・ストリング
１０ａ・・・横ストリング
１０ｂ・・・縦ストリング
１２・・・ヘッド
２０・・・ベース
２４ａ、２４ｂ、４４・・・貫通孔
２６ａ、２６ｂ、４６・・・ベース側開口
２８ａ、２８ｂ、４８・・・側壁
３０ａ、３０ｂ、５０・・・先端側開口
３４、３８、４２・・・筒部
１００、１０１−１３５、１００ａ、１００ｂ・・・筒部
【図１】
2020151058.tif 000003
【図２】
2020151058.tif 000004
【図３】
2020151058.tif 000005
【図４】
2020151058.tif 000006
【図５】
2020151058.tif 000007
【図６】
2020151058.tif 000008
【図７】
2020151058.tif 000009
【図８】
2020151058.tif 000010
【図９】
2020151058.tif 000011
【図１０】
2020151058.tif 000012
【図１１】
2020151058.tif 000013
【図１２】
2020151058.tif 000014
【図１３】
2020151058.tif 000015
【図１４】
2020151058.tif 000016
【図１５】
2020151058.tif 000017
【図１６】
2020151058.tif 000018
【図１７】
2020151058.tif 000019